(57)【特許請求の範囲】
【請求項１】
パネル部材に、空気の吹出可能なる吹出口及び煙草の吸い殻、灰等の収納可能なるアッシュトレイを少なくとも備えてなる自動車用インストルメントパネルにおいて、
前記吹出口の自動車の後側に前記アッシュトレイが配され、該アッシュトレイのトレイ部の開口を開閉可能なるリッドは、該リッドが開成された状態で前記吹出口とトレイ部との間にあり且つ前記吹出口に近接した位置に配されると共に前記吹出口より吹き出される空気を該アッシュトレイのトレイ部以外の方向に導くように配されてなることを特徴とする自動車用インストルメントパネル。
【請求項２】
請求項１記載の自動車用インストルメントパネルであって、
前記アッシュトレイは、前記パネル部材の棚部に開口が上部を向くように配され且つ煙草、煙草の吸い殻、煙草の灰等の収納可能なるトレイ部と、該トレイ部の開口を閉じた位置及び開成した位置に移動自在なるよう前記吹出口側に支軸を有するリッドとよりなり、
該リッドの支軸は、その一方が前記吹出口の左右何れか一方に対して離れた位置の前記パネル部材に配され、その他方が前記吹出口の左右何れか他方に対して近接された位置の前記パネル部材に配されてなることを特徴とする自動車用インストルメントパネル。
【請求項３】
請求項１及び請求項２何れか記載の自動車用インストルメントパネルであって、
前記リッドの裏面側の縁部の、支軸の一方側には、前記トレイ部の側面を覆う遮風板が配置されてなることを特徴とする自動車用インストルメントパネル。
【請求項４】
請求項１乃至請求項３何れか記載の自動車用インストルメントパネルであって、
前記リッドの縁部は、該リッドが開成された状態で前記パネル部材に当接されるように形成されてなることを特徴とする自動車用インストルメントパネル。
【請求項５】
請求項１乃至請求項４何れか記載の自動車用インストルメントパネルであって、
前記リッドの自由端部は、該リッドが開成された状態で前記パネル部材に当接されて、前記パネル部材と共にダクト状をなすよう形成されてなることを特徴とする自動車用インストルメントパネル。
【発明の詳細な説明】
【０００１】
【発明の属する技術分野】
本発明は、自動車用インストルメントパネルに関する。
【０００２】
【従来の技術】
自動車用インストルメントパネルとしては、例えば図８及び図９（実開昭６３−１８２１４４号公報参照）に示すように、空気の吹出可能なる吹出口１を少なくとも有するパネル部材３と、煙草の吸い殻、灰等の収納可能なるアッシュトレイ５を少なくとも有するコンソールボックス７とが略Ｔ字状に形成されてなる。
【０００３】
前記アッシュトレイ５は、煙草の吸い殻、灰等の収納可能なるトレイ部９と、該トレイ部９の開口１１を閉じた位置及び開成した位置（実線で示す）に移動自在なるよう支軸１３を有するリッド１５とよりなる。
【０００４】
かかるアッシュトレイ５の配設位置は、前記コンソールボックス７という乗員（図示省略）の肘より下側であるため、使いづらく、改善が望まれている。
【０００５】
そこで、空気が乗員の上半身に直接当たる位置のインストルメントパネルに空気の吹出し可能なる吹出口を設け、該吹出口の近傍にアッシュトレイを設けることで、アッシュトレイの使い勝手を向上し、空気吹出口より空気を吹き出している時にアッシュトレイを使用状態にすると、吹き出された空気によりアッシュトレイ内の灰などが飛散するのを防止するために、吹出口から空気が吹き出すのを阻止する連動装置を介在しているものが、実開昭５７−２０２３１０号公報で提案されている。
【０００６】
【発明が解決しようとする課題】
然しながら、前記従来例によれば、連動装置を介在しなければならないので、原価高騰の原因になるおそれがあり、改善が望まれている。
【０００７】
また、アッシュトレイを使用している間は、少なくともそのアッシュトレイに近接した吹出口からは空気が吹き出されず、室内の温度調節が好ましくなく、改善が望まれている。
【０００８】
そこで、本発明は、以上のような点に鑑みてなされたもので、その目的とするところは、空気の吹き出し中にアッシュトレイを使用する時、吹き出された空気によってアッシュトレイ内の灰等の飛散が防止される機能を維持しつつ、原価高騰の原因にならず、温度変化が生じないことを夫々可能にした自動車用インストルメントパネルを提供することにある。
【０００９】
【課題を解決するための手段】
上記、課題を解決するために、請求項１の発明は、パネル部材に、空気の吹出可能なる吹出口及び煙草の吸い殻、灰等の収納可能なるアッシュトレイを少なくとも備えてなる自動車用インストルメントパネルにおいて、前記吹出口の自動車の後側に前記アッシュトレイが配され、該アッシュトレイのトレイ部の開口を開閉可能なるリッドは、該リッドが開成された状態で前記吹出口とトレイ部との間にあり且つ前記吹出口に近接した位置に配されると共に前記吹出口より吹き出される空気を該アッシュトレイのトレイ部以外の方向に導くように配されてなることを特徴とする。
【００１０】
従って、煙草を喫煙するために、アッシュトレイのトレイ部の開口を開閉可能なるリッドを開成すると、リッドに近接した位置に配される吹出口より吹き出された空気を、該リッドにより該アッシュトレイのトレイ部の開口以外の方向に導くことができるので、トレイ部の開口中にある煙草の灰等が吹出口より吹き出された空気によって吹き飛ばされるようなことがない。
【００１１】
請求項２の発明は、請求項１記載の自動車用インストルメントパネルであって、前記アッシュトレイは、前記パネル部材の棚部に開口が上部を向くように配され且つ煙草、煙草の吸い殻、煙草の灰等の収納可能なるトレイ部と、該トレイ部の開口を閉じた位置及び開成した位置に移動自在なるよう前記吹出口側に支軸を有するリッドとよりなり、該リッドの支軸は、その一方が前記吹出口の左右何れか一方に対して離れた位置の前記パネル部材に配され、その他方が前記吹出口の左右何れか他方に対して近接された位置の前記パネル部材に配されてなることを特徴とする。
【００１２】
従って、前記リッドを開成すると、該リッドの一方が前記吹出口の一方に対して離れた位置となり、該リッドの他方が前記吹出口の他方に対して近接された位置となるので、前記吹出口と前記リッドの表面とがラッパ状になり、前記吹出口から吹き出された空気が該リッドの他方側から一方側に導かれ、前記アッシュトレイのトレイ部以外の方向に導くことができ、煙草の灰等が吹出口より吹き出された空気によって吹き飛ばされるようなことがないことになる。
【００１３】
請求項３の発明は、請求項１及び請求項２何れか記載の自動車用インストルメントパネルであって、前記リッドの裏面側の縁部の、支軸の一方側には、前記トレイ部の側面を覆う遮風板が配置されてなることを特徴とする。
【００１４】
従って、前記リッドを開成して次に遮風板を回転させると、前記吹出口から吹き出された空気が該リッドの他方側から一方側に導かれ、遮風板と自動車の車体との間を導かれ、前記アッシュトレイのトレイ部以外の方向に導くことができるので、煙草の灰等が吹出口より吹き出された空気によって吹き飛ばされるようなことがないことになる。
【００１５】
請求項４の発明は、請求項１乃至請求項３何れか記載の自動車用インストルメントパネルであって、前記リッドの縁部は、該リッドが開成された状態で前記パネル部材に当接されるように形成されてなることを特徴とする。
【００１６】
従って、前記リッドを開成すると、該リッドの縁部が前記パネル部材に当接されるので、前記吹出口から吹き出された空気が該リッドの縁部と前記パネル部材との間から前記アッシュトレイのトレイ部側に流れ込むことが確実に阻止されることになるので、煙草の灰等が吹出口より吹き出された空気によって吹き飛ばされるようなことがないことになる。
【００１７】
請求項５の発明は、請求項１乃至請求項４何れか記載の自動車用インストルメントパネルであって、前記リッドの自由端部は、該リッドが開成された状態で前記パネル部材に当接されて、前記パネル部材と共にダクト状をなすよう形成されてなることを特徴とする。
【００１８】
従って、前記リッドを開成すると、該リッドとパネル部材とよりダクト状をなすことで、前記吹出口から吹き出された空気が該リッドとパネル部材とよりなるダクトに導かれて、前記アッシュトレイのトレイ部以外の方向に導くことができるので、煙草の灰等が吹出口より吹き出された空気によって吹き飛ばされるようなことがないことになる。
【００１９】
【発明の実施の形態】
以下、この発明の実施の形態を図面と共に説明する。
【００２０】
図１乃至図４は、本発明の第１の実施形態に係る自動車用インストルメントパネルを示している。図８及び図９に示した従来例と同一部材は、同一符号を用いて説明する。
【００２１】
即ち、自動車用インストルメントパネルは、空気の吹出可能なる吹出口１，１（左側は図示省略）を少なくとも自動車の左右に有するパネル部材３と、煙草６の吸い殻、灰等の収納可能なるアッシュトレイ５，５（左側は図示省略）を前記吹出口１，１の下縁毎に少なくとも有する。符号２は、前記吹出口１に配されたグリルフィンである。
【００２２】
即ち、該アッシュトレイ５は、前記パネル部材３の棚部４に開口１１が上部を向くように配され且つ煙草６、煙草６の吸い殻、煙草６の灰等の収納可能なるトレイ部９と、該トレイ部９の開口１１を閉じた位置（図１）及び開成した位置（図２）に移動自在なるよう前記吹出口１側に支軸１３を有するリッド２１とよりなる。
【００２３】
該リッド２１の支軸１３は、右側に配されるアッシュトレイ５と、左側に配されるアッシュトレイ５（左側は図示省略）とでは、配設される位置が異なる。
【００２４】
即ち、右側に配されるアッシュトレイ５の場合、図３に示すように、支軸１３の右側（一方）１３ａが前記吹出口１の右側（一方）１ａに対して自動車の前後方向（Ｆ−Ｒ）の後ろ側（Ｒ）に離れた位置の前記パネル部材３に配され、支軸軸１３の左側（他方）１３ｂが前記吹出口１の左側（他方）１ｂに対して近接された位置の前記パネル部材３に配されてなる。
【００２５】
また、この場合、前記リッド２１の裏面２１ｄ側の右側（一方）の縁部２１ａ、即ち支軸１３の右側（一方）１３ａ側には、前記トレイ部９の側面を覆う位置に回転自在なるように遮風板２７が支軸２５により配設されてなる。
【００２６】
また、この場合、図４に示すように、前記リッド２１の左側（他方）の縁部２１ｂは、該リッド２１が開成された状態で前記パネル部材３のパッド３１に当接されるよう形成されてなる。
【００２７】
また、左側に配されるアッシュトレイ５の場合、図に示さないが、支軸１３の左側（一方）１３ｂが前記吹出口１の左側（一方）１ｂに対して自動車の前後方向の後ろ側に離れた位置の前記パネル部材３に配され、支軸１３の右側（他方）１３ａが前記吹出口１の右側（他方）１ａに対して近接された位置の前記パネル部材３に配されてなる。
【００２８】
また、この場合、図に示さないが、前記リッド２１の裏面２１ｄ側の左側（他方）２１ｂ、即ち支軸１３の左側（他方）１３ｂ側には、前記トレイ部９の側面を覆う位置に支軸２５により回転自在なるように前記遮風板２７と左右対称の遮風板が配設されてなる。
【００２９】
また、この場合、図に示さないが、前記リッド２１の右側（一方）の縁部２１ａは、該リッド２１が開成された状態で前記パネル部材３のパッド３１に当接されるよう形成されてなる。
【００３０】
従って、以上の本発明の第１の実施形態の構成であるから、煙草６を喫煙するために、アッシュトレイ５のリッド２１を開成すると、エアコン（図示省略）などの手段より吹出口１によって吹き出された空気１７を、該リッド２１が該アッシュトレイ５のトレイ部９以外の方向に導くことができるので、煙草６の灰等が吹出口１より吹き出された空気１７によって吹き飛ばされるようなことがない。
【００３１】
また、右側に配される前記アッシュトレイ５の場合、そのリッド２１を開成すると、該リッド２１の右側（一方）２１ａが前記吹出口１の右側（一方）１ａに対して離れた位置となり、該リッド２１の左側（他方）２１ｂが前記吹出口１の左側（他方）１ｂに対して近接された位置となるので、前記吹出口１と前記リッド２１の表面２１ｃとがラッパ状になり、前記吹出口１から吹き出された空気１７がリッド２１によって左折して該リッド２１の左側（他方）２１ｂ側から右側（一方）２１ａ側に導かれ、前記アッシュトレイ５のトレイ部９以外の方向に導くことができ、煙草６の灰等が吹出口１より吹き出された空気１７によって吹き飛ばされるようなことがないことになる。左側に配される前記アッシュトレイ５の場合、前記吹出口１から吹き出された空気１７がリッド２１によって右折して前記アッシュトレイ５のトレイ部９以外の方向に導くことができる。
【００３２】
また、前記リッド２１を開成して次に遮風板２７を回転させると、前記吹出口１から吹き出された空気１７が該リッド２１の左側（他方）の縁部２１ｂ側から右側（一方）２１ａ側に導かれ、遮風板２７と自動車の車体としてのサイドウインドパネル（図示省略）との間を導かれ、前記アッシュトレイ５のトレイ部９以外の方向に導くことができるので、煙草６の灰等が吹出口１より吹き出された空気１７によって吹き飛ばされるようなことがないことになる。
【００３３】
また、前記リッド２１を開成すると、該リッド２１の左側（他方）の縁部２１ｂが前記パネル部材３のパッド３１に当接されるので、前記吹出口１から吹き出された空気１７が該リッド２１の左側（他方）の縁部２１ｂと前記パネル部材３のパッド３１との間から前記アッシュトレイ５のトレイ部９側に流れ込むことが確実に阻止され、煙草６の灰等が吹出口１より吹き出された空気１７によって吹き飛ばされるようなことがないことになる。
【００３４】
図５及び図６は、本発明の第２の実施形態に係る自動車用インストルメントパネルを示している。
【００３５】
即ち、左右に配されるアッシュトレイ５の前記リッド２１の自由端部３３には、該リッド２１が開成された状態で前記パネル部材３のパッド３１に当接されて、前記パネル部材３と共にダクト３７をなすよう突起３５が形成されてなる。
【００３６】
かかる第２の実施形態によれば、前記リッド２１を開成すると、該リッド２１の突起３５とパネル部材３のパッド３１とよりダクト３７をなすことで、前記吹出口１から吹き出された空気１７が該リッド２１とパネル部材３とよりなるダクト３７に導かれて、前記アッシュトレイ５のトレイ部９以外の方向に導くことができるので、煙草６の灰等が吹出口１より吹き出された空気１７によって吹き飛ばされるようなことがないことになる。
【００３７】
図７は、本発明の第３の実施形態に係る自動車用インストルメントパネルを示している。
【００３８】
即ち、図７に示すように、前記リッド２１の左側（他方）の縁部２１ｂは、該リッド２１が開成された状態で前記パネル部材３のパッド３９に当接されるよう形成されてなる。該パッド３９には階段状の段部４１が形成されている。該段部４１の頂部４３に前記リッド２１の左側（他方）の縁部２１ｂに当接している。
【００３９】
かかる第３の実施形態によれば、前記リッド２１を開成すると、該リッド２１の縁部２１ｂが前記パネル部材３のパッド３９に当接されるので、前記吹出口１から吹き出された空気１７が該リッド２１の縁部２１ｂと前記パネル部材３のパッド３９との間から前記アッシュトレイ５のトレイ部９側に流れ込むことが確実に阻止され、煙草６の灰等が吹出口１より吹き出された空気１７によって吹き飛ばされるようなことがないことになる。
【００４０】
【発明の効果】
以上より明らかなように、請求項１の発明によれば、煙草を喫煙するために、アッシュトレイのトレイ部の開口を開閉可能なるリッドを開成すると、リッドに近接した位置に配される吹出口より吹き出された空気を、該リッドにより該アッシュトレイのトレイ部の開口以外の方向に導くことができるので、トレイ部の開口中にある煙草の灰等が吹出口より吹き出された空気によって吹き飛ばされるようなことがない。
【００４２】
請求項２の発明によれば、前記リッドを開成すると、該リッドの一方が前記吹出口の一方に対して離れた位置となり、該リッドの他方が前記吹出口の他方に対して近接された位置となるので、前記吹出口と前記リッドの表面とがラッパ状になり、前記吹出口から吹き出された空気が該リッドの他方側から一方側に導かれ、前記アッシュトレイのトレイ部以外の方向に導くことができるので、煙草の灰等が吹出口より吹き出された空気によって吹き飛ばされるようなことがないことになる。
【００４４】
請求項３の発明によれば、前記リッドを開成して次に遮風板を回転させると、前記吹出口から吹き出された空気が該リッドの他方側から一方側に導かれ、遮風板と自動車の車体との間を導かれ、前記アッシュトレイのトレイ部以外の方向に導くことができるので、煙草の灰等が吹出口より吹き出された空気によって吹き飛ばされるようなことがないことになる。
【００４６】
請求項４の発明によれば、前記リッドを開成すると、該リッドの縁部が前記パネル部材に当接されるので、前記吹出口から吹き出された空気が該リッドの縁部と前記パネル部材との間から前記アッシュトレイのトレイ部側に流れ込むことが確実に阻止され、煙草の灰等が吹出口より吹き出された空気によって吹き飛ばされるようなことがないことになる。
【００４８】
請求項５の発明によれば、前記リッドを開成すると、該リッドとパネル部材とよりダクト状をなすことで、前記吹出口から吹き出された空気が該リッドとパネル部材とよりなるダクトに導かれて、前記アッシュトレイのトレイ部以外の方向に導くことができるので、煙草の灰等が吹出口より吹き出された空気によって吹き飛ばされるようなことがないことになる。
【００４９】
従って、前記リッドを開成すると、該リッドとパネル部材とよりダクト状をなすことで、前記吹出口から吹き出された空気が該リッドとパネル部材とよりなるダクトに導かれて、前記アッシュトレイのトレイ部以外の方向に導くことができるので、煙草の灰等が吹出口より吹き出された空気によって吹き飛ばされるようなことがないことになる。
【００５０】
以上により、空気の吹き出し中にアッシュトレイを使用する時、吹き出された空気によってアッシュトレイ内の灰等の飛散が防止される機能を維持しつつ、原価高騰の原因にならず、温度変化が生じないことを夫々可能にした自動車用インストルメントパネルを提供できる。
【図面の簡単な説明】
【図１】この発明の第１の実施形態にかかる自動車用インストルメントパネルの斜視説明図である。
【図２】図１のリッドを開成した状態の図１相当説明図である。
【図３】図２のＳＡ−ＳＡ線に沿う断面説明図である。
【図４】図３のＢ部拡大説明図である。
【図５】この発明の第２の実施形態にかかる自動車用インストルメントパネルの斜視説明図である。
【図６】図５のＳＣ−ＳＣ線に沿う断面説明図である。
【図７】この発明の第３の実施形態にかかる自動車用インストルメントパネルの図３のＢ部拡大説明図である。
【図８】従来例の自動車用インストルメントパネルの斜視説明図である。
【図９】図８のＳＤ−ＳＤ線に沿う断面説明図である。
【符号の説明】
１  吹出口
１ａ  吹出口の右側（一方）
１ｂ  吹出口の左側（他方）
３  パネル部材
５  アッシュトレイ
６  煙草
９  トレイ部
１１  開口
１３  支軸
１３ａ  支軸の右側（一方）
１３ｂ  支軸の左側（他方）
１７  空気
２１  リッド
２１ａ  リッドの裏面側の右側（一方）の縁部
２１ｂ  リッドの左側（他方）の縁部
２１ｃ  リッドの表面
２５  遮風板の支軸
２７  遮風板
３１，３９  パッド
３３  リッドの自由端部
３５  突起
３７  ダクト
【図１】
0003635728.tif 000002
【図２】
0003635728.tif 000003
【図３】
0003635728.tif 000004
【図４】
0003635728.tif 000005
【図５】
0003635728.tif 000006
【図６】
0003635728.tif 000007
【図７】
0003635728.tif 000008
【図８】
0003635728.tif 000009
【図９】
0003635728.tif 000010